(57)【要約】【課題】従来の板状のバネを備えた制震金具は板状のバネを用いているため断面形状が長方形であり、曲げ方向によって弾性力が異なるので、振動方向よっては十分な減衰力を発揮することができないおそれがある。【解決手段】地震等により建物が振動して、柱Ｐと梁Ｔとが振動しても、円柱状のバネ６３が弾性変形して振動を吸収する。バネ６３は円柱状なので、軸方向に対し交差する方向であればいずれの方向であってもほぼ同じ弾性力を発揮する。従って、制震金具１によれば、如何なる方向の振動に対しても十分な減衰力を発揮することが可能である。【選択図】        図１
2005200882.tif 000002
【特許請求の範囲】
【請求項１】
一辺に連結部を有し前記連結部が直交するように重ね合わされた一対の取付板と、前記一対の取付板に渡設されたバネとを有する制震金具において、前記バネは円柱状に形成されていることを特徴とする建物の制震金具。
【請求項２】
請求項１に記載した制震金具において、円柱状のバネは複数設けられていることを特徴とする建物の制震金具。
【請求項３】
請求項１または２に記載した制震金具において、連結部は直角に折り曲げられた連結片によって構成されていることを特徴とする建物の制震金具。
【請求項４】
請求項１から３のいずれかに記載した制震金具において、一対の取付板にはブロック部がそれぞれ固定されており、円柱状のバネは前記ブロック部に渡設されていることを特徴とする建物の制震金具。
【請求項５】
請求項４に記載した制震金具において、円柱状のバネの一端部に雄ネジが形成され、一方のブロック部には貫通穴が形成され、他方のブロック部にはネジ穴が形成されており、円柱状のバネは前記貫通穴へ挿通され、且つ前記一端部に形成された雄ネジが前記ネジ穴に取り付けられて、一対の取付板に渡設されていることを特徴とする建物の制震金具。
【請求項６】
請求項１から５のいずれかに記載した制震金具において、一対の取付板のうちの一方の取付板に重ねられ、且つ一対の取付板に対しネジにより連結される補強板を具備することを特徴とする建物の制震金具。
【請求項７】
請求項６に記載した制震金具において、補強板には一方の取付板に接触する摩擦板が設けられていることを特徴とする建物の制震金具。
【請求項８】
請求項７に記載した制震金具において、摩擦板の取付板と接触する部分には摩擦係数を大きくする加工が施されていることを特徴とする建物の制震金具。
【発明の詳細な説明】
【技術分野】
【０００１】
本発明は制震金具に係り、特に地震時等における建物の振動を低減するための制震金具に関する。
【背景技術】
【０００２】
建物の制震金具は通常一対の取付板を有し、一対の取付板は板状のバネを介して連結されている。即ち、板状のバネの一端が一対の取付板のうち一方の取付板に連結され、他端が他方の取付板に連結され構成されている。そして、一方の取付板を例えば柱に取り付け、他方の取付板を梁に取り付ける。
地震等により建物が振動すると、板状のバネが弾性変形することによって、振動を減衰させるものである。
【発明の開示】
【発明が解決しようとする課題】
【０００３】
しかしながら、上記従来の制震金具は板状のバネを用いているため断面形状が長方形であり、曲げ方向によって弾性力が異なる。従って、振動方向よっては十分な減衰力を発揮することができないおそれがある。
本発明は上記従来の問題点に着目してなされたものであり、如何なる方向の振動に対しても十分な減衰力を発揮することができる制震金具を提供することを目的とする。
【課題を解決するための手段】
【０００４】
本発明は上記課題を解決するためになされたものであり、請求項１の発明は、一辺に連結部を有し前記連結部が直交するように重ね合わされた一対の取付板と、前記一対の取付板に渡設されたバネとを有する制震金具において、前記バネは円柱状に形成されていることを特徴とする建物の制震金具である。
【０００５】
請求項２の発明は、請求項１に記載した制震金具において、円柱状のバネは複数設けられていることを特徴とする建物の制震金具である。
【０００６】
請求項３の発明は、請求項１または２に記載した制震金具において、連結部は直角に折り曲げられた連結片によって構成されていることを特徴とする建物の制震金具である。
【０００７】
請求項４の発明は、請求項１から３のいずれかに記載した制震金具において、一対の取付板にはブロック部がそれぞれ固定されており、円柱状のバネは前記ブロック部に渡設されていることを特徴とする建物の制震金具である。
【０００８】
請求項５の発明は、請求項４に記載した制震金具において、円柱状のバネの一端部に雄ネジが形成され、一方のブロック部には貫通穴が形成され、他方のブロック部にはネジ穴が形成されており、円柱状のバネは前記貫通穴へ挿通され、且つ前記一端部に形成された雄ネジが前記ネジ穴に取り付けられて、一対の取付板に渡設されていることを特徴とする建物の制震金具である。
【０００９】
請求項６の発明は、請求項１から５のいずれかに記載した制震金具において、一対の取付板のうちの一方の取付板に重ねられ、且つ一対の取付板に対しネジにより連結される補強板を具備することを特徴とする建物の制震金具である。
【００１０】
請求項７の発明は、請求項６に記載した制震金具において、補強板には一方の取付板に接触する摩擦板が設けられていることを特徴とする建物の制震金具である。
【００１１】
請求項８の発明は、請求項７に記載した制震金具において、摩擦板の取付板と接触する部分には摩擦係数を大きくする加工が施されていることを特徴とする建物の制震金具である。
【発明の効果】
【００１２】
本発明の制震金具によれば、如何なる方向の振動に対しても十分な減衰力を発揮することが可能となる。
【実施例１】
【００１３】
本発明の実施例に係る制震金具１を図面にしたがって説明する。
制震金具１は鋼材によって構成されており、一対の取付板３、５を有している。一対の取付板３、５のうち、一方を第１取付板３、他方を第２取付板５と称して説明する。
第１取付板３は平板状の主部７と、この主部７に一体に形成された連結部としての連結片９とから成り、連結片９は主部７に対し直角に折り曲げられて形成されている。連結片９には３つの取付穴２５が形成されている。
主部７には１つの矩形穴１１、２つの丸穴１３が形成され、さらにボルト１２が挿通される挿通穴１４が形成されている。また、主部７にはプレス加工によって形成された２つの大凸部１５と１つの小凸部１６が形成され、これら大凸部１５、小凸部１６は主部７の表面側へ突出している。大凸部１５、小凸部１６にはボルト１９を挿通するための挿通穴１７が形成されている。また、主部７の裏面のほぼ中央にはブロック部２１が固定されており、このブロック部２１には３つのネジ穴２３が形成されている。
【００１４】
第２取付板５は第１取付板３とほぼ同じ形状をしており、主部２７と連結部としての連結片２９とによって構成されている。主部２７のほぼ中央には挿通穴３１が形成され、この挿通穴３１は第１取付板３の挿通穴１４に対応する位置に備えられている。また主部２７には２つの大きい長穴３３、１つの小さい長穴３５が形成されており、これらの長穴３３、３５は第１取付板３の大凸部１５、小凸部１６に対応する位置に備えられている。さらに主部２７には２つの丸穴３９、１つの長穴４１が形成されており、２つの丸穴３９は第１取付板３の丸穴１３に対応する位置に備えられている。また、連結片２９には３つの取付穴４３が形成されている。
主部２７の裏面にはブロック部４５が固定されており、このブロック部４５には３つの貫通穴４７が形成されている。
【００１５】
符号４９は補強板を示し、この補強板４９には裏面側へ突出する３つの凸部５１が形成され、これら凸部５１に挿通穴５３が形成されている。また補強板４９には２つの丸穴５５が形成され、２つの丸穴５５は第２取付板５の丸穴３９に対応する位置に備えられている。また補強板４９のほぼ中央には挿通穴５７が形成されている。
符号５９は摩擦板を示し、この摩擦板５９は補強板４９の裏面に固定されており、摩擦板５９の裏面（第２取付板５の表面に当接する側の面）には摩擦係数が大きくなる粗面加工が施されている。摩擦板５９には挿通穴６１が形成され、この挿通穴６１は補強板４９の挿通穴５７に対応している。
【００１６】
符号６３はバネを示し、このバネ６３は円柱状に形成されている。バネ６３の一端部には雄ネジ６５が形成され、他端部の外周面には滑り止めのローレット加工が施されている。
【００１７】
連結片９と連結片２９が直交するように第１取付板３の表面側に第２取付板５の裏面側が重ねられ、さらに第２取付板５の表面側に補強板４９が重ねられている。第１取付板３の２つの大凸部１５、補強板４９の２つの凸部５１は大きな長穴３３内においてそれぞれ当接し、また小凸部１６と凸部５１は小さな長穴３５内において当接している。３本のボルト１９は挿通穴５３と挿通穴１７とにそれぞれ挿入され、先端部が第１取付板３の裏面から突出し、この突出部分にナット６７が取り付けられ締め付けられている。
また、ボルト１２は第１取付板３の挿通穴１４、第２取付板の挿通穴３１、摩擦板５９の挿通穴６１及び補強板４９の挿通穴５７へ挿通され、ボルト１２の先端部は補強板４９の表面から突出しており、この突出部分にナット６９が取り付けられ締め付けられている。これにより摩擦板５９が第２取付板５に圧接させられている。
【００１８】
第２取付板５のブロック部４５は、第１取付板３の矩形穴１１を通って、第１取付板３の裏面側へ突出している。そして、３本の円柱状のバネ６３はブロック部４５の貫通穴４７へ貫入され、一端部の雄ネジ６５が第１取付板３のブロック部２１のネジ穴２３に取り付けられている。これにより円柱状のバネ６３はブロック部２１とブロック部４５を介して第１取付板３と第２取付板５に渡設されている。
このように、円柱状のバネ６３を使用しているので、バネ６３を貫通穴４７へ通して、雄ネジ６５をネジ穴２３に取り付けるだけで、バネ６３を第１取付板３と第２取付板５に渡設させることができる。従って、バネ６３の着脱を簡単に行うことができ、よって使用するバネ６３の本数を簡単な作業で増減することが可能となる。
【００１９】
次に、この制震金具１の使用方法について説明する。
図１に示すように、建物の梁Ｔに連結片９の取付穴２５に対応する３つの穴を開け、この穴と取付穴２５に通し、取付穴２５から突出するボルト７１の先端部にナット７３を取り付けて締め付ける。また建物の柱Ｐに連結片２９に対応する穴を開けておき、この穴と取付穴２５に通し、取付穴２５から突出するボルト７１の先端部にナット７３を取り付けて締め付ける。このように制震金具１は柱Ｐと梁Ｔを連結するように取り付けられる。
【００２０】
上記のように制震金具１の第１取付板３の連結片９が梁Ｔに取り付けられ、第２取付板５の連結片２９が柱Ｐに取り付けられているので、地震等により建物が振動して柱Ｐと梁Ｔとが振動しても、円柱状のバネ６３が弾性変形して振動を吸収する。バネ６３は円柱状なので、軸方向に対し交差する方向であれば如何なる方向であってもほぼ同じ弾性力を発揮する。従って、制震金具１によれば、如何なる方向の振動に対しても十分な減衰力を発揮することが可能である。
また、摩擦板５９と第２取付板５とが相対的に摺動するので、バネ６３と共に制震効果を発揮する。即ち摩擦板５９の第２取付板５に摺接する面は摩擦係数が高くなるように粗面加工が施されているので、摺接面に適度な抵抗が発生する。従って、より高い制震効果をもたらすことになる。
【００２１】
図３、図４に示す寸法の制震金具１を製作し、制震試験を行ったので、その結果を下記の表に示す。この制震金具１の３本の円柱状のバネ６３は、ＳＳ鋼材製で直径１０ｍｍのものとステンレス製で直径８ｍｍのものの２種類について試験を行った。また、一対の取付板３、５、補強板４９等の成部材についてはＳＳ鋼材によって構成した。
【００２２】
【表１】
2005200882.tif 000003
【００２３】
以上、本発明の実施例について詳述してきたが、具体的構成は、この実施例に限られるものではなく、本発明の要旨を逸脱しない範囲における設計の変更などがあっても発明に含まれる。
例えば、上記実施例では円柱状のバネ６３を３本備えたが、本発明はこれに限定されず、１本以上であれば何本備えてもよい。
円柱状のバネ６３をネジによってブロック部２１に取り付けたが、これに限定されず、溶接等他の固定方法によることも可能である。
【００２４】
また、摩擦板５９を備えない構成とすることも可能である。さらに、補強板４９を備えない構成とすることも可能であり、この場合は第２取付板５の長穴３３、３５の代わりにボルト１９の軸部が僅かな隙間を開けて挿通できる丸穴を形成し、この丸穴にボルト１９を挿通して、他の上記実施例と同様にして第１取付板３と第２取付板５とを連結する。
さらに、上記実施例では、制震金具１を柱Ｐと梁Ｔとに取り付けたが、柱と土台とに取り付けるようにしてもよい。
【図面の簡単な説明】
【００２５】
【図１】本発明の実施例に係る制震金具を柱と梁に取り付けた状態の斜視図である。
【図２】本発明の実施例に係る制震金具の分解斜視図である。
【図３】本発明の実施例に係る制震金具の実寸を記載した背面図である。
【図４】本発明の実施例に係る制震金具の実寸を記載した側面図である。
【図５】図３のＡ−Ａ断面図である。
【符号の説明】
【００２６】
１  制震金具      ３  第１取付板      ５  第２取付板      ７  主部
９  連結片      １１  矩形穴      １３  丸穴      １４  挿通穴
１５  大凸部      １６  小凸部    １７  挿通穴      １９  ボルト
２１  ブロック部      ２３  ネジ穴      ２５  取付穴
２７  主部      ２９  連結片      ３１  挿通穴      ３３  大きい長穴
３５  小さい長穴      ３９  丸穴      ４１  長穴      ４３  取付穴
４５  ブロック部      ４７  貫通穴      ４９  補強板
５１  凸部      ５３  挿通穴      ５５  丸穴      ５７  挿通穴
５９  摩擦板      ６１  挿通穴      ６３  バネ      ６５  雄ネジ
６７  ナット      ６９  ナット      ７１  ボルト      ７３  ナット
Ｐ  柱      Ｔ  梁
【図１】
2005200882.tif 000004
【図２】
2005200882.tif 000005
【図３】
2005200882.tif 000006
【図４】
2005200882.tif 000007
【図５】
2005200882.tif 000008